(57)【要約】【課題】金属含有排水の処理方法において、アルカリ剤や処理水のｐＨを排水基準値の範囲内に調整するための酸の使用量を抑える。【解決手段】本発明に係る金属含有排水の処理方法は、環状の処理流路２内に金属含有排水を供給する原水供給工程と、処理流路２内に供給された排水１を処理流路２内でＴ方向に流して循環させる循環工程と、処理流路２内の排水１にｐＨ調整剤５を添加し、排水１のｐＨを調整するｐＨ調整工程と、ｐＨが調整された排水１に凝集剤７を添加する凝集剤添加工程と、凝集剤７によって凝集し沈降したフロックを捕集するフロック捕集工程と、処理流路２内において前記フロックが捕集された下流側の循環水２９と前記フロックが捕集された上澄み水１７とを電気分解する電気分解工程と、を備えている。【選択図】図１
2018183754.tif 000002
【特許請求の範囲】
【請求項１】
金属含有排水から金属を除去するための金属含有排水の処理方法であって、
環状の処理流路内に前記金属含有排水を供給する原水供給工程と、
前記処理流路内に供給された前記金属含有排水を前記処理流路内で所定の方向に流して循環させる循環工程と、
前記処理流路内の前記金属含有排水にｐＨ調整剤を添加し、前記金属含有排水のｐＨを調整するｐＨ調整工程と、
ｐＨが調整された前記金属含有排水に凝集剤を添加する凝集剤添加工程と、
前記凝集剤によって凝集し沈降したフロックを捕集するフロック捕集工程と、
前記処理流路内において前記フロックが捕集された下流側の循環水と前記フロックが捕集された上澄み水とを電気分解する電気分解工程と、
を備えていることを特徴とする金属含有排水の処理方法。
【請求項２】
金属含有排水から金属を除去するための金属含有排水の処理方法であって、
環状の処理流路内に前記金属含有排水を供給する原水供給工程と、
前記処理流路内に供給された前記金属含有排水を前記処理流路内で所定の方向に流して循環させる循環工程と、
前記処理流路内の前記金属含有排水にｐＨ調整剤を添加し、前記金属含有排水のｐＨを調整するｐＨ調整工程と、
ｐＨが調整された前記金属含有排水に凝集剤を添加する凝集剤添加工程と、
前記凝集剤によって凝集し沈降したフロックを捕集するフロック捕集工程と、
前記フロックが捕集された上澄み水にｐＨ調整液を添加し、前記上澄み水のｐＨを調整する第二のｐＨ調整工程と、
前記処理流路内において前記フロックが捕集された下流側の循環水と内部で前記ｐＨ調整液を作成する槽に満たされている溶液とを電気分解する電気分解工程と、
を備えていることを特徴とする金属含有排水の処理方法。
【請求項３】
前記ｐＨ調整液中のハロゲン化合物の含有量は０．２質量％以下であることを特徴とする請求項２に記載の金属含有排水の処理方法。
【請求項４】
金属含有排水から金属を除去処理するためのシステムであって、
処理対象の前記金属含有排水を一時的に貯留する環状の処理流路と、
前記処理流路の内部に前記金属含有排水を供給する原水供給部と、
前記処理流路の内部の前記金属含有排水を所定の方向に流して循環させるための流れ発生手段と、を備えるとともに、
前記処理流路に、前記金属含有排水にｐＨ調整剤を添加して前記金属含有排水のｐＨを調整するｐＨ調整部と、前記金属含有排水に凝集剤を添加する凝集剤添加部と、前記凝集剤によって凝集し沈降したフロックを捕集するフロック捕集部と、
前記フロックが捕集された上澄み水のｐＨを調整するｐＨ調整槽と、
を備え、
前記処理流路内において前記フロック捕集部の下流側に配置された陰極と前記ｐＨ調整槽の内部に配置された陽極と電源とを有する電気分解手段と、
をさらに備えていることを特徴とする金属含有排水の処理システム。
【請求項５】
金属含有排水から金属を除去処理するためのシステムであって、
処理対象の前記金属含有排水を一時的に貯留する環状の処理流路と、
前記処理流路の内部に前記金属含有排水を供給する原水供給部と、
前記処理流路の内部の前記金属含有排水を所定の方向に流して循環させるための流れ発生手段と、を備えるとともに、
前記処理流路に、前記金属含有排水にｐＨ調整剤を添加して前記金属含有排水のｐＨを調整するｐＨ調整部と、前記金属含有排水に凝集剤を添加する凝集剤添加部と、前記凝集剤によって凝集し沈降したフロックを捕集するフロック捕集部と、
前記フロックが捕集された上澄み水のｐＨを調整するｐＨ調整槽と、
前記上澄み水のｐＨを調整するためのｐＨ調整液を作成するｐＨ調整液作成槽と、
を備え、
前記処理流路内において前記フロック捕集部の下流側に配置された陰極と前記ｐＨ調整液作成槽の内部に配置された陽極と電源とを有する電気分解手段と、
をさらに備えていることを特徴とする金属含有排水の処理システム。
【請求項６】
前記ｐＨ調整液作成槽に満たされている溶液中のハロゲン化合物の含有量は０．２質量％以下であることを特徴とする請求項５に記載の金属含有排水の処理システム。
【発明の詳細な説明】
【技術分野】
【０００１】
本発明は、金属含有排水の処理方法および金属含有排水の処理システムに関する。
【背景技術】
【０００２】
金属イオンを含有する排水から金属イオンを除去するための処理手法（以下、単に「処理方法」という場合がある）としては、例えば、排水中に溶解した金属イオンを金属水酸化物や金属硫化物などの不溶性の化合物に変えて除去する方法や、排水中に溶解した金属イオンを金属キレートとして除去する方法などがある。
【０００３】
上述の処理方法では、排水中に溶解している金属をフロック（不溶性物質）として析出させた後、該フロックに沈殿分離、濾過分離、遠心分離などの固液分離処理を施し、排水中から金属を除去する必要がある。前述の固液分離処理の中でも処理コストを抑える点からフロックの自重を利用した沈殿分離がよく用いられるが、一般に、沈殿分離では、処理効率を確保するため、フロックの沈降速度が小さくなるほど沈殿槽の規模（設置面積）を大きくする必要がある。
【０００４】
フロックの除去効率を高め、かつ沈殿槽の規模を小さくすることを可能にする方法として、傾斜板を設置することによって有効処理面積を増加させる方法（例えば、特許文献１、特許文献２参照）、多様な凝集剤を適用することによってフロックの沈降速度を高める方法（例えば、特許文献３、特許文献４参照）が提案、実用化されている。
【先行技術文献】
【特許文献】
【０００５】
【特許文献１】特開２００１−３２７９８１号公報
【特許文献２】特開２００２−１３６８０８号公報
【特許文献３】特開２０１１−０３１２２９号公報
【特許文献４】特開２０１６−０２６８７１号公報
【発明の概要】
【発明が解決しようとする課題】
【０００６】
しかしながら、上述のように傾斜板を利用することによってフロックの除去効率を高める方法においては、特に沈降速度が小さいフロックを除去する場合に、処理量と設置面積の制約が生じ、除去率１００％（略１００％の高除去率）を達成することが困難になってしまう。
また、多様な凝集剤を適用することによってフロックの沈降速度を高める方法においても、凝集剤の工夫で大きなフロックに成長させることには限界があり、さらに特殊な凝集剤を用いることで処理コストが増大してしまう。
【０００７】
上述の事情をふまえ、最近では、ｐＨ調整槽（すなわち、アルカリ処理槽）、凝集剤撹拌槽、沈殿槽を一つの槽とした処理方法が検討されている。この処理方法では、（１）必ずとも全てのフロックを除去しなくてもよい（すなわち、除去率が１００％に達さなくてもよい）、（２）槽の内部を循環するフロックが金属水酸化物として析出される際の核となるので、高い沈殿性能のフロックが生成される、（３）排水に添加するアルカリ剤の量を低減することができる、（４）各槽を結ぶポンプや配管が不要であるなどの効果が得られる。ところが、前述の処理方法では、上述の（３）で記載した効果が得られるとはいえ、アルカリ剤や処理水のｐＨを排水基準値の範囲内に調整するための酸が大量に必要になるという問題が残っていた。
【０００８】
本発明は、上記事情に鑑みてなされたものであり、アルカリ剤や処理水のｐＨを排水基準値の範囲内に調整するための酸（以下、単に「酸」とする場合がある）の使用量を抑えることができる金属含有排水の処理方法および金属含有排水の処理システムを提供する。
【課題を解決するための手段】
【０００９】
請求項１に記載の金属含有排水の処理方法は、金属含有排水から金属を除去するための金属含有排水の処理方法であって、環状の処理流路内に前記金属含有排水を供給する原水供給工程と、前記処理流路内に供給された前記金属含有排水を前記処理流路内で所定の方向に流して循環させる循環工程と、前記処理流路内の前記金属含有排水にｐＨ調整剤を添加し、前記金属含有排水のｐＨを調整するｐＨ調整工程と、ｐＨが調整された前記金属含有排水に凝集剤を添加する凝集剤添加工程と、前記凝集剤によって凝集し沈降したフロックを捕集するフロック捕集工程と、前記処理流路内において前記フロックが捕集された下流側の循環水と前記フロックが捕集された上澄み水とを電気分解する電気分解工程と、を備えていることを特徴とする。
【００１０】
上述の構成によれば、電気分解工程では、ｐＨ調整工程で予めｐＨの処理がなされた循環水と上澄み水とを電気分解することにより、上澄み水のｐＨを調整するための薬剤（即ち、酸）を多く必要とせずに済む。また、上澄み水のｐＨを調整するために利用した酸に対応する分の水酸化物イオンを陰極側で発生させることで、循環工程で金属含有排水（即ち、循環水）に添加するアルカリ剤（ｐＨ調整剤）の量を低減することができる。さらに、前述の水酸化物イオンや水素イオンと対になる塩（水酸化ナトリウムであればナトリウムイオン）の蓄積を抑えることができる。
【００１１】
請求項２に記載の金属含有排水の処理方法は、金属含有排水から金属を除去するための金属含有排水の処理方法であって、環状の処理流路内に前記金属含有排水を供給する原水供給工程と、前記処理流路内に供給された前記金属含有排水を前記処理流路内で所定の方向に流して循環させる循環工程と、前記処理流路内の前記金属含有排水にｐＨ調整剤を添加し、前記金属含有排水のｐＨを調整するｐＨ調整工程と、ｐＨが調整された前記金属含有排水に凝集剤を添加する凝集剤添加工程と、前記凝集剤によって凝集し沈降したフロックを捕集するフロック捕集工程と、前記フロックが捕集された上澄み水にｐＨ調整液を添加し、前記上澄み水のｐＨを調整する第二のｐＨ調整工程と、前記処理流路内において前記フロックが捕集された下流側の循環水と内部で前記ｐＨ調整液を作成する槽に満たされている溶液とを電気分解する電気分解工程と、を備えていることを特徴とする。
請求項３に記載の金属含有排水の処理方法では、上述の金属含有排水の処理方法において、前記ｐＨ調整液中のハロゲン化合物の含有量は０．２質量％以下であることが好ましい。
【００１２】
上述の構成によれば、電気分解工程では、ｐＨ調整工程で予めｐＨの処理がなされた循環水とｐＨ調整液の作成槽に満たされている溶液とを電気分解することにより、例えば酸性水を作成し、この酸性水を用いて排水基準を満足するように上澄み水のｐＨを調整し、最終処理水とすることができる。また、上述の金属含有排水の処理方法と同様に、酸の使用量を抑えることができる。
さらに、ｐＨ調整液中のハロゲン化合物の含有量が０．２質量％以下というように少ないことで、酸性水を円滑に生成することができる。
【００１３】
請求項４に記載の金属含有排水の処理システムは、金属含有排水から金属を除去処理するためのシステムであって、処理対象の前記金属含有排水を一時的に貯留する環状の処理流路と、前記処理流路の内部に前記金属含有排水を供給する原水供給部と、前記処理流路の内部の前記金属含有排水を所定の方向に流して循環させるための流れ発生手段と、を備えるとともに、前記処理流路に、前記金属含有排水にｐＨ調整剤を添加して前記金属含有排水のｐＨを調整するｐＨ調整部と、前記金属含有排水に凝集剤を添加する凝集剤添加部と、前記凝集剤によって凝集し沈降したフロックを捕集するフロック捕集部と、前記フロックが捕集された上澄み水のｐＨを調整するｐＨ調整槽と、を備え、前記処理流路内において前記フロック捕集部の下流側に配置された陰極と前記ｐＨ調整槽の内部に配置された陽極と電源とを有する電気分解部と、をさらに備えていることを特徴とする。
【００１４】
上述の構成によれば、電気分解部によって、ｐＨ調整工程で予めｐＨの処理がなされた循環水と上澄み水が電気分解されることにより、酸の使用量が抑えられる。また、上澄み水のｐＨを調整するために利用した酸に対応する分の水酸化物イオンが陰極で発生することで、処理流路で金属含有排水（即ち、循環水）に添加されるアルカリ剤（ｐＨ調整剤）の量が抑えられる。さらに、前述の水酸化物イオンや水素イオンと対になる塩（水酸化ナトリウムであればナトリウムイオン）の蓄積が抑えられる。
【００１５】
請求項５に記載の金属含有排水の処理システムは、金属含有排水から金属を除去処理するためのシステムであって、処理対象の前記金属含有排水を一時的に貯留する環状の処理流路と、前記処理流路の内部に前記金属含有排水を供給する原水供給部と、前記処理流路の内部の前記金属含有排水を所定の方向に流して循環させるための流れ発生手段と、を備えるとともに、前記処理流路に、前記金属含有排水にｐＨ調整剤を添加して前記金属含有排水のｐＨを調整するｐＨ調整部と、前記金属含有排水に凝集剤を添加する凝集剤添加部と、前記凝集剤によって凝集し沈降したフロックを捕集するフロック捕集部と、前記フロックが捕集された上澄み水のｐＨを調整するｐＨ調整槽と、前記上澄み水のｐＨを調整するためのｐＨ調整液を作成するｐＨ調整液作成槽と、を備え、前記処理流路内において前記フロック捕集部の下流側に配置された陰極と前記ｐＨ調整液作成槽の内部に配置された陽極と電源とを有する電気分解部と、をさらに備えていることを特徴とする。
請求項６に記載の金属含有排水の処理システムでは、前記ｐＨ調整液作成槽に満たされている溶液中のハロゲン化合物の含有量は０．２質量％以下であることが好ましい。
【００１６】
上述の構成によれば、電気分解部では、ｐＨ調整工程で予めｐＨの処理がなされた循環水とｐＨ調整液が電気分解されることにより、例えば酸性水が作成され、この酸性水を用いて排水基準を満足するように上澄み水のｐＨが調整され、最終処理水が得られる。また、上述の金属含有排水の処理システムと同様に、酸の使用量が抑えられる。
また、ハロゲン化合物の含有量が少ない溶液でｐＨ調整液作成槽の内部が満たされていることで、円滑に酸性水が生成される。
【発明の効果】
【００１７】
本発明に係る金属含有排水の処理方法および金属含有排水の処理システムによれば、酸の使用量を抑えることができる。
【図面の簡単な説明】
【００１８】
【図１】本発明を適用した第一実施形態の金属含有排水の処理システムの図であって、上段が平面図であり、下段が側面図である。
【図２】本発明を適用した第二実施形態の金属含有排水の処理システムの図であって、上段が平面図であり、下段が側面図である。
【発明を実施するための形態】
【００１９】
以下、本発明を適用した金属含有排水の処理方法の実施形態について説明する。なお、以下の説明で用いる図面は模式的なものであり、長さ、幅及び厚みの比率等は実際のものと同一とは限らず、適宜変更することができる。
【００２０】
（第一実施形態）
始めに、本発明を適用した第一実施形態の金属含有排水の処理システム（以下、単に「処理システム」という場合がある）の一例について説明する。
【００２１】
図１に示すように、第一実施形態の金属含有排水の処理システムＢは、処理対象の排水１を一時的に貯留する環状の処理流路２と、処理流路２の内部に金属含有排水１ａを供給する原水供給部３と、処理流路２の内部の排水１をＴ方向（一方向）に流して循環させるための流れ発生手段４と、処理流路２でｐＨが調整された循環水２９と、処理流路２から取り出された処理水（上澄み水）とを電気分解する電気分解手段２０と、を備えている。
【００２２】
処理流路２は、排水１にｐＨ調整剤５を添加して排水１のｐＨを調整するｐＨ調整部６と、排水１に凝集剤７を添加する凝集剤添加部８と、凝集剤７によって凝集し沈降したフロックを捕集するフロック捕集部９と、を備えている。
【００２３】
また、処理システムＢは、フロック捕集部９に捕集されたフロックをフロック捕集部９から処理流路２の外部に排出させて回収するためのフロック回収部１０と、フロックが沈降するとともに排水１の上澄み水を取水して処理流路２の外部に排出させるための集水トラフ１１と、排水１の流れを整えるための整流手段１２と、を備えている。
【００２４】
流れ発生手段４は、環状の処理流路２の内部で排水１のＴ方向の流れをつくり、排水１を循環させるためのものである。また、流れ発生手段４は、軸線周りに回転駆動する軸部４ａと、軸部４ａから径方向に延出された複数の回転板４ｂと、を備えている。さらに、流れ発生手段４は、軸部４ａとともに軸線周りに回転する複数の回転板４ｂが排水１を順次Ｔ方向に押しかくことにより、Ｔ方向の流れ、ひいては循環流をつくるように構成されている。
【００２５】
凝集剤添加部８は、処理流路２のｐＨ調整部６と流れ発生手段４との間に設けられている。凝集剤添加部８は、ｐＨ調整部６でｐＨが調整された排水１に、例えばアニオン系の高分子凝集剤などの凝集剤７を添加し、水酸化物のフロックを凝集して成長させるためのものである。凝集剤添加部８には、添加した凝集剤７と排水１を混合撹拌する撹拌手段１３が設けられている。
【００２６】
フロック捕集部９は、流れ発生手段４よりもＴ方向の下流側に設けられている。フロック捕集部９は、凝集剤添加部８で凝集剤７を添加することによって成長し、処理流路２の底面２ａに沈降するフロックを堆積させるように捕集するためのものである。また、フロック捕集部９は、処理流路２の底面２ａを上流側から下流側に向かうに従い漸次下方に傾斜し、最低部２ｂから下流側に向かうに従って漸次上方に傾斜してなるフロック集積凹部１４を備えている。
【００２７】
フロック回収部１０は、フロック捕集部９に捕集され、フロック捕集部９の最低部２ｂ（フロック集積凹部１４）に堆積して収集されたフロックを処理流路２の外部に排出して回収するためのものである。フロック回収部１０は、例えば、フロック捕集部９の最低部２ｂの底面に開口するフロック回収口に繋がる回収配管（図示略）と、回収配管を通じてフロックを処理流路２から引き抜くためのポンプなどの回収駆動手段（図示略）と、を備えている。
【００２８】
集水トラフ１１は、例えば、フロック捕集部９よりも排水１のＴ方向下流側に設けられている。集水トラフ１１は、フロックが沈降した後の排水１の上澄み水を取水して処理流路２の外部に排出させるためのものである。なお、集水トラフ１１の位置は、排水１の上澄み水を取水して系外に排出させることが可能であれば、特に限定されない。
【００２９】
整流手段１２は、流れ発生手段４とフロック捕集部９との間に設けられている。整流手段１２は、撹拌手段１３によって撹拌混合して乱れた排水１の流れを整え、フロック捕集部９に送るためのものである。整流手段１２は、例えば、所定の間隔をあけ、平行配置された複数の整流板を備えている。
【００３０】
処理システムＢにおいては、流れ発生手段４によって処理流路２内の排水１に対してＴ方向の流れがつくられ、環状の処理流路２内で排水１が循環する。また、排水１の循環流に対し、原水供給部３から金属含有排水の原水１ａが適宜供給される。
【００３１】
そして、処理流路２を循環する排水１にｐＨ調整部６でｐＨ調整剤５が添加され、撹拌手段１３で撹拌されることによって、排水１のｐＨが所定のｐＨに調整される。このようにｐＨを調整すると、排水１中の金属イオンが水酸化物となり、フロックが形成される。
【００３２】
ｐＨ調整部６で形成されたフロックを含む排水１が凝集剤添加部８に達し、凝集剤７が添加されるとともに撹拌手段１３で撹拌混合されることにより、微細なフロック同士が凝集し、大きなフロックへと成長する。
【００３３】
凝集剤添加部８を通過した排水１は整流手段１２を通過するとともに、撹拌手段１３で乱された排水１の流れが整えられる。
【００３４】
排水１に含まれた大きなフロックは自重によって徐々に沈降し、処理流路２の底面２ａに達する。処理流路２の底面２ａには、Ｔ方向の下流側に向かうに従って漸次下方に傾斜し、最低部２ｂに達してからＴ方向の下流側に向かうに従って漸次上方に傾斜するフロック捕集部９のフロック集積凹部１４が設けられているので、排水１の流れとともに移動しつつ処理流路２の底面２ａに達するフロックがフロック捕集部９のフロック集積凹部１４に自動的に捕集され、集積する。
【００３５】
フロック捕集部９の最低部２ｂには、処理流路２の内部から外部にフロックを排出させるためのフロック回収口が設けられている。フロック捕集部９で捕集され且つ集積したフロックは適当なタイミングでフロック回収口から処理流路２の外部に排出／抽出され、脱水処理装置１５で脱水処理される。これにより、金属含有排水１ａの金属が除去処理され、脱水ケーキ１６として処分される。
【００３６】
処理流路２の内部の排水の上澄み水（フロックが沈降して清浄化した処理水）１７は、集水トラフ１１によって取水され、処理流路２の外部に排出される。上澄み水１７のｐＨは、ｐＨ調整槽１８で調整される。調整された上澄み水１７は、最終処理水１９として排出される。
【００３７】
電気分解手段２０は、電源３１と、電源３１の負極に接続された陰極３３（所謂、カソード）と、電源３１の正極に接続された陽極３５（所謂、アノード）と、を備えている。陰極３３は、処理流路２の内部において集水トラフ１１のＴ方向の下流側に配置されている。陽極３５は、ｐＨ調整槽１８の内部に配置されている。
【００３８】
上述の構成では、既にｐＨ調整剤５が添加されて処理流路２の内部でｐＨが調整された循環水２９とｐＨ調整槽１８でｐＨが調整された上澄み水１７とで電気分解され、上澄み水１７のｐＨの調整に使用された酸に対応する分の水酸化物イオンが陰極３３で発生する。発生した水酸化物イオンは循環水２９に添加され、循環水２９はＴ方向に循環する。
【００３９】
本発明を適用した第一実施形態の金属含有排水の処理方法（以下、単に「処理方法」という場合がある）は、処理システムＢを用いた処理方法であって、環状の処理流路２の内部に金属含有排水を供給する原水供給工程と、処理流路２の内部に供給された金属含有排水を処理流路２の内部でＴ方向（所定の方向）に流して循環させる循環工程と、処理流路２の内部の金属含有排水にｐＨ調整剤５を添加し、金属含有排水のｐＨを調整するｐＨ調整工程と、ｐＨが調整された金属含有排水に凝集剤７を添加する凝集剤添加工程と、凝集剤７によって凝集し沈降したフロックを捕集するフロック捕集工程と、処理流路２の内部においてフロックが捕集された下流側の循環水２９とフロックが捕集された上澄み水１７とを電気分解する電気分解工程と、を備えている。
【００４０】
したがって、第一実施形態の金属含有排水の処理システムＢ及び処理方法においては、ｐＨ調整工程で予めｐＨの処理がなされた循環水と上澄み水とを電気分解することにより、上澄み水のｐＨを調整するための薬剤（即ち、酸）を多く必要とせずに済む。また、上澄み水のｐＨを調整するために利用した酸に対応する分の水酸化物イオンを陰極３３で発生させることで、循環工程で金属含有排水（即ち、循環水２９）に添加するアルカリ剤（ｐＨ調整剤）の量を低減することができる。さらに、前述の水酸化物イオンや水素イオンと対になる塩（水酸化ナトリウムであればナトリウムイオン）の蓄積を抑えることができる。
【００４１】
また、第一実施形態の金属含有排水の処理システムＢにおいては、除去しきれなかったフロックが自動的に複数回、各部で処理されながら循環するため、除去しきれなかったフロックをこの複数回の循環の中で確実に大きなフロックに成長させ、除去することができる。
【００４２】
また、複数の処理を一つのシステム内で連続して行えるように構成したことにより、金属含有排水に添加するｐＨ調整剤５の量を低減することができ、さらに、従来の各処理工程を結ぶポンプや配管を不要にすることができる。
【００４３】
よって、第一実施形態の金属含有排水の処理システムＢによれば、沈降速度が小さいフロックに対しても、より効果的且つ経済的に沈降分離して確実に除去処理することができる。
【００４４】
（第二実施形態）
次いで、本発明を適用した第二実施形態の処理システム及び処理方法について説明する。なお、第二実施形態の処理システムの構成要素のうち、第一実施形態の処理システムＢと共通する構成要素については、同一の符号を付し、その説明を省略する。
【００４５】
図２に示すように、第二実施形態の処理システムＣは、第一実施形態の処理システムＢの構成に加えて、内部で上澄み水１７のｐＨを調整するためのｐＨ調整液３０を作成するｐＨ調整液作成槽４０を備えている。また、電気分解手段２０の陽極３５は、ｐＨ調整液作成槽４０の内部に配置されている。
【００４６】
ｐＨ調整液３０としての酸性水を円滑に作成するために、ｐＨ調整液作成槽４０の内部に満たされている溶液４４中のハロゲン化合物の含有量は０質量％以上０．２質量％以下であることが好ましい。即ち、ｐＨ調整液作成槽４０はハロゲン元素を高濃度に含まない溶液４４（例えば、海水のように、ハロゲン元素を高濃度に含んでいない水道水）で満たされていることが好ましい。
【００４７】
本発明を適用した第二実施形態の金属含有排水の処理方法（以下、単に「処理方法」という場合がある）は、処理システムＣを用いた処理方法であって、環状の処理流路２の内部に金属含有排水を供給する原水供給工程と、処理流路２の内部に供給された金属含有排水を処理流路２の内部でＴ方向（所定の方向）に流して循環させる循環工程と、処理流路２の内部の金属含有排水にｐＨ調整剤５を添加し、金属含有排水のｐＨを調整するｐＨ調整工程と、ｐＨが調整された金属含有排水に凝集剤７を添加する凝集剤添加工程と、凝集剤７によって凝集し沈降したフロックを捕集するフロック捕集工程と、フロックが捕集された上澄み水１７にｐＨ調整液３０を添加し、上澄み水１７のｐＨを調整する第二のｐＨ調整工程と、処理流路２の内部においてフロックが捕集された下流側の循環水２９と溶液４４とを電気分解する電気分解工程と、を備えている。
【００４８】
したがって、第二実施形態の金属含有排水の処理システムＣ及び処理方法においては、予めｐＨの処理がなされた循環水２９とｐＨ調整液作成槽４０に満たされている溶液４４とを電気分解することにより、例えば酸性水（ｐＨ調整液３０として機能）を作成し、この酸性水を用いて排水基準を満足するように上澄み水１７のｐＨを調整し、最終処理水１９とすることができる。また、処理システムＣ及び処理方法では、第一実施形態の処理システムＢ及び処理方法と同様に、酸の使用量を抑えることができる。
さらに、ｐＨ調整液作成槽４０が上述のようにハロゲン元素を含まない溶液４４で満たされていることで、酸性水を円滑に生成することができる。
このような処理システムＣ及び処理方法は、特に油分を除去済みの石油随伴水等の塩分を多く含む排水の処理にも有用である。
【００４９】
以上、本発明に係る金属含有排水の処理システムの一実施形態について説明したが、本発明は上述の一実施形態に限定されるものではなく、その趣旨を逸脱しない範囲で適宜変更可能である。
【００５０】
例えば、集水トラフ１１の配置や数を工夫し、集水トラフ１１を利用して排水１の流速を低減させ、フロックの沈降を促進させるように構成してもよい。すなわち、フロック捕集部９でのフロックの捕集効率を向上させるように集水トラフ１１の配置や数を決めるようにしてもよい。
【符号の説明】
【００５１】
２…処理流路、３…原水供給部、４…流れ発生手段、５…ｐＨ調整剤、６…ｐＨ調整部、７…凝集剤、８…凝集剤添加部、９…フロック捕集部、１０…フロック回収部、１７…上澄み水、１８…ｐＨ調整槽、１９…最終処理水、２９…循環水、３０…ｐＨ調整液、４０…ｐＨ調整液作成槽（内部でｐＨ調整液を作成する槽）、４４…溶液、Ｂ，Ｃ…金属含有排水の処理システム、Ｔ…方向（一方向、排水の流通方向）
【図１】
2018183754.tif 000003
【図２】
2018183754.tif 000004